(57)【特許請求の範囲】
【請求項１】
投入された硬貨の保留及び搬送を行う一時保留部と、
前記一時保留部から搬送された前記硬貨を金種毎に振り分けて計数する振分部と、
前記金種毎に振り分けられた前記硬貨を、それぞれの収納庫に収納し、計数払出しを行う収納庫部と、
前記収納庫部から払出された前記硬貨を搬送する出金搬送部と、
前記出金搬送部に搬送された前記硬貨を出金口へ搬出するか、硬貨回収ボックスへ搬送するか、を切り換える搬送先切換えゲートと、
前記搬送先切換えゲートの上流側で、前記出金搬送部に搬送された前記硬貨を、前記出金口へ搬送するか、前記一時保留部へ搬送するか、を切り換える出金切換えゲートと、
を備え、
前記収納庫部でそれぞれの収納庫の収納容量を超過した場合、当該金種を前記硬貨回収ボックスに収納するようにしたことを特徴とする硬貨処理機。
【請求項２】
前記一時保留部に保留する前記硬貨の金種毎の枚数と、それぞれの前記金種の前記収納庫内に収納されている前記硬貨の枚数とを、前記金種毎に加算する加算手段と、
前記金種毎に加算した前記枚数により、それぞれの前記金種の前記収納庫の収納容量を超過しているか否かを判断する判断手段と、
を備えたことを特徴とする請求項１記載の硬貨処理機。
【請求項３】
硬貨投入部に投入され、検銭部を通過した前記硬貨の金種及び枚数を検知する検知手段と、
検知された前記金種毎の枚数と、それぞれの前記金種の前記収納庫内に収納されている前記硬貨の枚数とを、前記金種毎に加算する加算手段と、
前記金種毎に加算した前記枚数により前記収納庫の収納容量を超過しているか否かを判断する判断手段と、
を備えたことを特徴とする請求項１記載の硬貨処理機。
【請求項４】
投入された硬貨の保留及び搬送を行う一時保留部と、
前記一時保留部から搬送された前記硬貨を金種毎に振り分けて計数する振分部と、
前記金種毎に振り分けられた前記硬貨を、それぞれの収納庫に収納し、計数払出しを行う収納庫部と、
前記収納庫部から払出された前記硬貨を搬送する出金搬送部と、
前記出金搬送部に搬送された前記硬貨を出金口へ搬出するか、硬貨回収ボックスへ搬送するか、を切り換える搬送先切換えゲートと、
前記搬送先切換えゲートの上流側で、前記出金搬送部に搬送された前記硬貨を、前記出金口へ搬送するか、前記一時保留部へ搬送するか、を切り換える出金切換えゲートと、
を備えた硬貨処理機の硬貨処理方法において、
投入された前記硬貨を前記一時保留部に保留させるステップと、
前記一時保留部に保留する前記硬貨の金種毎の枚数と、それぞれの前記金種の収納庫内に収納されている前記硬貨の枚数とを、前記金種毎に加算するステップと、
加算した前記枚数が、それぞれの前記金種の前記収納庫の収納容量を超過する場合に、超過した前記収納庫内に収納されている前記硬貨を、前記硬貨回収ボックスへ搬送するステップと、
前記硬貨を前記硬貨回収ボックスへ搬送させた後に、前記一時保留部に保留されている前記硬貨を前記金種毎に前記収納庫内に収納するステップと、
を有することを特徴とする硬貨処理方法。
【請求項５】
投入された硬貨の保留及び搬送を行う一時保留部と、
前記一時保留部から搬送された前記硬貨を金種毎に振り分けて計数する振分部と、
前記金種毎に振り分けられた前記硬貨を、それぞれの収納庫に収納し、計数払出しを行う収納庫部と、
前記収納庫部から払出された前記硬貨を搬送する出金搬送部と、
前記出金搬送部に搬送された前記硬貨を出金口へ搬出するか、硬貨回収ボックスへ搬送するか、を切り換える搬送先切換えゲートと、
前記搬送先切換えゲートの上流側で、前記出金搬送部に搬送された前記硬貨を、前記出金口へ搬送するか、前記一時保留部へ搬送するか、を切り換える出金切換えゲートと、
を備えた硬貨処理機の硬貨処理方法において、
投入された前記硬貨を前記一時保留部に保留させるステップと、
前記一時保留部に保留する前記硬貨の金種毎の枚数と、それぞれの前記金種の収納庫内に収納されている前記硬貨の枚数とを、前記金種毎に加算するステップと、
加算した前記枚数が、それぞれの前記金種の前記収納庫の収納容量を超過する場合に、超過した前記収納庫内に収納されている前記硬貨を、前記硬貨回収ボックスへ搬送するステップと、
前記収納庫内に収納されている前記硬貨を、前記硬貨回収ボックスへ搬送するのと同時に、前記一時保留部に保留されている前記硬貨を前記金種毎に前記収納庫へ収納するステップと、
を有することを特徴とする硬貨処理方法。
【請求項６】
投入された硬貨の保留及び搬送を行う一時保留部と、
前記一時保留部から搬送された前記硬貨を金種毎に振り分けて計数する振分部と、
前記金種毎に振り分けられた前記硬貨を、それぞれの収納庫に収納し、計数払出しを行う収納庫部と、
前記収納庫部から払出された前記硬貨を搬送する出金搬送部と、
前記出金搬送部に搬送された前記硬貨を出金口へ搬出するか、硬貨回収ボックスへ搬送するか、を切り換える搬送先切換えゲートと、
前記搬送先切換えゲートの上流側で、前記出金搬送部に搬送された前記硬貨を、前記出金口へ搬送するか、前記一時保留部へ搬送するか、を切り換える出金切換えゲートと、
を備えた硬貨処理機の硬貨処理方法において、
硬貨投入部に投入され、検銭部を通過した前記硬貨の金種及び枚数を検知するステップと、
検知した前記金種毎の前記硬貨の枚数とそれぞれの前記金種の前記収納庫内に収納されている前記硬貨の枚数とを、前記金種毎に加算するステップと、
加算した前記枚数が、それぞれの前記金種の前記収納庫の収納容量を超過する場合に、超過した前記収納庫内に収納されている前記硬貨を、前記硬貨回収ボックスへ搬送するステップと、
前記硬貨を前記硬貨回収ボックスへ搬送させた後に、前記硬貨投入部に投入された前記硬貨を前記金種毎に前記収納庫に収納するステップと、
を有することを特徴とする硬貨処理方法。
【請求項７】
投入された硬貨の保留及び搬送を行う一時保留部と、
前記一時保留部から搬送された前記硬貨を金種毎に振り分けて計数する振分部と、
前記金種毎に振り分けられた前記硬貨を、それぞれの収納庫に収納し、計数払出しを行う収納庫部と、
前記収納庫部から払出された前記硬貨を搬送する出金搬送部と、
前記出金搬送部から搬送された前記硬貨を出金口へ搬出するか、硬貨回収ボックスへ搬送するか、を切り換える搬送先切換えゲートと、
前記搬送先切換えゲートの上流側で、前記出金搬送部に搬送された前記硬貨を、前記出金口へ搬送するか、前記一時保留部へ搬送するか、を切り換える出金切換えゲートと、
を備えた硬貨処理機の硬貨処理方法において、
硬貨投入部に投入され、検銭部を通過した前記硬貨の金種及び枚数を検知するステップと、
検知した前記金種毎の前記硬貨の枚数とそれぞれの前記金種の前記収納庫内に収納されている前記硬貨の枚数とを、前記金種毎に加算するステップと、
加算した前記枚数が、それぞれの前記金種の前記収納庫の収納容量を超過する場合に、超過した前記収納庫内に収納されている前記硬貨を、前記硬貨回収ボックスへ搬送するステップと、
前記収納庫内に収納されている前記硬貨を、前記硬貨回収ボックスへ搬送するのと同時に、前記硬貨投入部に投入された前記硬貨を前記金種毎に前記収納庫へ収納するステップと、
を有することを特徴とする硬貨処理方法。
【発明の詳細な説明】
【技術分野】
【０００１】
本発明は硬貨処理機及び硬貨処理方法に関し、特に、金銭を出金及び入金する硬貨処理機及び硬貨処理方法に関する。
【背景技術】
【０００２】
スーパーマーケット等に設置されている、ＰＯＳ（Point Of Sale）レジに接続される硬貨処理機には、回収機能が備わっている。当該回収機能は、ＰＯＳレジ等の上位機からの指示、または、硬貨処理機に設けられた操作表示部からの指示により実行される。
【０００３】
回収動作としては、回収したい所望の金種と枚数を指示して硬貨処理機の出金口へ払い出させる。
然るに、大量の硬貨を回収する場合には、硬貨処理機の出金口では一度に払出しができず、更に、回収に時間がかかるという側面がある。また、払い出された硬貨の紛失、盗難等の危険性も含んでいる。従って、回収時問の短縮、セキュリティの向上が望まれている。
【０００４】
また、硬貨処理機には、硬貨を計数しながら金種毎に収納する機能が備わっており、硬貨処理機内に収納された金種毎の硬貨枚数を随時知ることができる（例えば、特許文献１参照）。
【特許文献１】特開２００７−１６４７５２号公報
【発明の開示】
【発明が解決しようとする課題】
【０００５】
しかしながら、最近の硬貨処理機の使用頻度の増加に伴い、硬貨入金中に収納庫の容量を超過した金種が発生した場合、残りの投入済み硬貨の中に、収納庫の容量を超過している金種があると、当該金種を当該収納庫に入金することができず、当該金種の収納がリジェクトされてしまう（所謂、入金リジェクトの発生）。これにより、回収等で収納庫に空きスペースができるまで、当該金種を入金することができないという問題があった。
【０００６】
本発明はこのような点に鑑みてなされたものであり、収納庫の容量を超過した金種が発生した場合でも、自動的に収納庫に空きスペースを確保する、硬貨処理機及び硬貨処理方法を提供することを目的とする。
【課題を解決するための手段】
【０００７】
上記課題を解決するために、投入された硬貨の保留及び搬送を行う一時保留部と、前記一時保留部から搬送された前記硬貨を金種毎に振り分けて計数する振分部と、前記金種毎に振り分けられた前記硬貨を、それぞれの収納庫に収納し、計数払出しを行う収納庫部と、前記収納庫部から払出された前記硬貨を搬送する出金搬送部と、前記出金搬送部に搬送された前記硬貨を出金口へ搬出するか、硬貨回収ボックスへ搬送するか、を切り換える搬送先切換えゲートと、前記搬送先切換えゲートの上流側で、前記出金搬送部に搬送された前記硬貨を、前記出金口へ搬送するか、前記一時保留部へ搬送するか、を切り換える出金切換えゲートと、を備え、前記収納庫部でそれぞれの収納庫の収納容量を超過した場合、当該金種を前記硬貨回収ボックスに収納するようにしたことを特徴とする硬貨処理機が提供される。
【０００８】
また、投入された硬貨の保留及び搬送を行う一時保留部と、前記一時保留部から搬送された前記硬貨を金種毎に振り分けて計数する振分部と、前記金種毎に振り分けられた前記硬貨を、それぞれの収納庫に収納し、計数払出しを行う収納庫部と、前記収納庫部から払出された前記硬貨を搬送する出金搬送部と、前記出金搬送部に搬送された前記硬貨を出金口へ搬出するか、硬貨回収ボックスへ搬送するか、を切り換える搬送先切換えゲートと、前記搬送先切換えゲートの上流側で、前記出金搬送部に搬送された前記硬貨を、前記出金口へ搬送するか、前記一時保留部へ搬送するか、を切り換える出金切換えゲートと、を備えた硬貨処理機の硬貨処理方法において、投入された前記硬貨を前記一時保留部に保留させるステップと、前記一時保留部に保留する前記硬貨の金種毎の枚数と、それぞれの前記金種の収納庫内に収納されている前記硬貨の枚数とを、前記金種毎に加算するステップと、加算した前記枚数が、それぞれの前記金種の前記収納庫の収納容量を超過する場合に、超過した前記収納庫内に収納されている前記硬貨を、前記硬貨回収ボックスへ搬送するステップと、前記硬貨を前記硬貨回収ボックスへ搬送させた後に、前記一時保留部に保留されている前記硬貨を前記金種毎に前記収納庫内に収納するステップと、を有することを特徴とする硬貨処理方法が提供される。
【０００９】
また、投入された硬貨の保留及び搬送を行う一時保留部と、前記一時保留部から搬送された前記硬貨を金種毎に振り分けて計数する振分部と、前記金種毎に振り分けられた前記硬貨を、それぞれの収納庫に収納し、計数払出しを行う収納庫部と、前記収納庫部から払出された前記硬貨を搬送する出金搬送部と、前記出金搬送部に搬送された前記硬貨を出金口へ搬出するか、硬貨回収ボックスへ搬送するか、を切り換える搬送先切換えゲートと、前記搬送先切換えゲートの上流側で、前記出金搬送部に搬送された前記硬貨を、前記出金口へ搬送するか、前記一時保留部へ搬送するか、を切り換える出金切換えゲートと、を備えた硬貨処理機の硬貨処理方法において、硬貨投入部に投入され、検銭部を通過した前記硬貨の金種及び枚数を検知するステップと、検知した前記金種毎の前記硬貨の枚数とそれぞれの前記金種の前記収納庫内に収納されている前記硬貨の枚数とを、前記金種毎に加算するステップと、加算した前記枚数が、それぞれの前記金種の前記収納庫の収納容量を超過する場合に、超過した前記収納庫内に収納されている前記硬貨を、前記硬貨回収ボックスへ搬送するステップと、前記硬貨を前記硬貨回収ボックスへ搬送させた後に、前記硬貨投入部に投入された前記硬貨を前記金種毎に前記収納庫に収納するステップと、を有することを特徴とする硬貨処理方法が提供される。
【発明の効果】
【００１０】
上記手段によれば、収納庫の容量を超過した金種が発生した場合でも、自動的に収納庫に空きスペースが確保される。これにより、上記入金リジェクトが抑制され、迅速かつ効率的に硬貨の入金を行うことができる。
【発明を実施するための最良の形態】
【００１１】
以下、本実施の形態に係る、硬貨処理機、及び硬貨処理方法（硬貨処理制御方法）を、図面を参照しながら詳細に説明する。まず、本実施の形態に係る硬貨処理機から説明する。
【００１２】
図１は本実施の形態の硬貨処理機の概要を説明する要部図である。
当該硬貨処理機１にあっては、各種の硬貨（図示しない）が投入される硬貨投入部１０と、前記硬貨投入部１０に投入された硬貨の金種（硬貨の種類）、枚数を識別する検銭部１１と、リジェクトゲート１２と、前記検銭部１１を通過した硬貨を一時保留し、更に硬貨の搬送機能を兼ね備えた一時保留庫（一時保留部）１３と、を備えている。
【００１３】
ここで、リジェクトゲート１２は、投入された硬貨が検銭部１１により、偽貨であると判定された場合、当該硬貨を出金トレイ（出金口）１４に返却するための切り換えゲートである。
【００１４】
また、硬貨処理機１にあっては、キャンセルゲート２０と、一時保留庫１３から搬送された前記硬貨を、その直径により金種毎に振り分けて、更に計数する振分部２１と、金種毎に振り分けられた硬貨を収納すると共に、硬貨の計数払出しを行う収納庫部３０、とを備えている。
【００１５】
ここで、キャンセルゲート２０は、一時保留庫１３に保留された硬貨が上位機（図示しない）、或いは操作表示部（図示しない）の指示に従って、キャンセル口１５に返却するための切り換えゲートとして機能する。また、上記収納庫部３０は、５００円硬貨用の収納庫３１と、１０円硬貨用の収納庫３２と、１００円硬貨用の収納庫３３と、５円硬貨用の収納庫３４と、５０円硬貨用の収納庫３５と、並びに１円硬貨用の収納庫３６とに分離されている。そして、硬貨の直径に従って、小さい直径順に各々の収納庫に収納される。
【００１６】
また、硬貨処理機１にあっては、収納庫部３０から払出されたそれぞれの硬貨を保留しつつ、当該払出された硬貨を出金トレイ１４側に向かい搬送させる出金搬送部４０と、出金搬送部４０から搬送された前記硬貨を出金トレイ１４側へ搬送するか、一時保留庫１３へ搬送するかを切換える出金切換えゲート４１と、を備えている。
【００１７】
更に、硬貨処理機１にあっては、出金切換えゲート４１によって出金トレイ１４側へ搬送された硬貨を、出金トレイ１４へ搬出するか、或いは、図１の一点破線で表示された硬貨回収ボックス５０に搬送するかを切換える搬送先切換えゲート４２と、を備えている。尚、当該硬貨回収ボックス５０は、硬貨処理機１の本体の下に設けられている。
【００１８】
また、硬貨処理機１にあっては、それぞれの収納庫３１〜３６から払出された硬貨が指定された金種であることを識別し、払出された硬貨を計数する識別センサとして、それぞれの収納庫３１〜３６の側部に、払出し識別部３１ｓ〜３６ｓが備えられている。そして、当該払出し識別部３１ｓ〜３６ｓにより指定された金種でないと識別された場合は、出金切換えゲート４１を一時保留庫１３側へ切換えて出金が停止される。また、全て指定された金種であると識別された場合は、出金切換えゲート４１を出金トレイ１４側へ切換えて出金を行う。尚、複数枚の払出しを行う場合は、払出し識別部３１ｓ〜３６ｓにより自金種でないと識別された段階で硬貨の払出しを終了する。
【００１９】
更に、硬貨処理機１にあっては、各部位に硬貨搬送用ベルトが備えられている。そして、それぞれの硬貨搬送用ベルト並びにゲート等を自動的に制御する制御部６０と、それぞれの硬貨搬送用ベルトの駆動時間を制御するタイマ６１とが兼ね備えられている。そして、これらの制御部６０、タイマ６１等は、上位機（図示しない）或いは、硬貨処理機１の操作表示部（図示しない）により自動的に管理（コントロール）されている。
【００２０】
次に、硬貨処理機１の本体に取り付けられた硬貨回収ボックス５０について、別の図面を用いて説明する。
尚、以下に例示する全ての図に於いては、図１で例示された部材と同一の部材には同一の符号を付し、その詳細な説明については省略する。
【００２１】
図２は本実施の形態の硬貨処理機の概要を説明する要部図であり、図２（ａ）は、硬貨処理機１の要部上面図、図２（ｂ）は、硬貨処理機１の要部側面図である。
上述した符号１０〜６１の部位を含めた部分を硬貨処理機１の本体部１ａとすると、上記硬貨回収ボックス５０は、当該本体部１ａの下方に設けられている。そして、硬貨入金中に、それぞれの収納庫３１〜３６の収納容量を超過した金種が発生した場合、硬貨回収ボックス５０に当該金種が自動的に収納される。これにより、硬貨入金中に何れかの収納庫３１〜３６の容量を超過しても、当該金種の収納がリジェクトされず、自動的にそれぞれの収納庫３１〜３６に空きスペースが確保される。
【００２２】
尚、出金搬送部４０から出金トレイ１４側へ搬送された硬貨を、出金トレイ１４へ搬出するか、或いは、硬貨回収ボックス５０に搬送するかは、例えば、図３に示される如く実施される。
【００２３】
図３は硬貨を回収する作用を説明するための要部断面図であり、図３（ａ）には、硬貨７０を出金トレイ１４に搬出する方法が例示され、図３（ｂ）には、硬貨７０を硬貨回収ボックス５０に回収する方法が例示されている。
【００２４】
例えば、出金搬送部４０から搬送された硬貨７０を、出金トレイ１４に搬出する場合は、搬送先切換えゲート４２の作動・切換えにより、出金搬送部４０から出金トレイ１４にまで連通する通路を形成させ、硬貨７０を出金トレイ１４に搬出する（図３（ａ）参照）。
【００２５】
一方、出金搬送部４０によって搬送された硬貨７０を、硬貨回収ボックス５０側に搬送する場合は、搬送先切換えゲート４２の作動・切換えにより、出金トレイ１４の手前に設けられた貫通孔４０ｈを開状態にする（図３（ｂ）参照）。これにより、搬送された硬貨７０は、出金搬送部４０の通路の一部に形成された貫通孔４０ｈから下方に落下する。更に、落下した硬貨７０は、貫通孔４０ｈの下方に位置する硬貨回収ボックス５０の貫通孔５０ｈを通過し、硬貨回収ボックス５０内に落下・回収される。
【００２６】
このような切換えにより、硬貨７０が硬貨回収ボックス５０内に回収される。
次に、硬貨処理機１内に於ける硬貨７０の移動を実施する硬貨搬送用ベルトについて説明する。このような硬貨搬送用ベルトは、硬貨処理機１内のそれぞれの部位に個別に備えられている。
【００２７】
図４は硬貨搬送用ベルトの配置並びに作用を説明するための要部平面図である。
当該硬貨処理機１にあっては、各種の硬貨（図示しない）が硬貨投入部１０に投入されると、当該硬貨が硬貨投入部１０内に設けられた投入口ベルト１０ｂの作動により、検銭部１１に搬送される。また、検銭部１１に搬送された硬貨は、当該硬貨が正貨であると判断されると、検銭部１１内に設けられた検銭ベルト（図示しない）の作動により、一時保留庫１３に搬送される。
【００２８】
また、硬貨処理機１にあっては、一時保留庫１３内に設けられた一時保留庫ベルト１３ｂの作動により、硬貨が振分部２１にまで搬送される。そして、振分部２１に搬送された硬貨は、振分部２１内に設けられた振分ベルト２１ｂにより、それぞれの収納庫３１〜３６への通過口となる各種切欠を落下し、それぞれの硬貨の直径に従って、それぞれの収納庫３１〜３６に収納・回収される。
【００２９】
例えば、１円硬貨は、振分部２１から１円硬貨用の収納庫３６内に落下・収納され、５０円硬貨は、振分部２１から５０円硬貨用の収納庫３５内に落下・収納され、５円硬貨は、振分部２１から５円硬貨用の収納庫３４内に落下・収納される。同様に、１００円硬貨は、振分部２１から１００円硬貨用の収納庫３３内に落下・収納され、１０円硬貨は、振分部２１から１０円硬貨用の収納庫３２内に落下・収納され、５００円硬貨は、振分部２１から５００円硬貨用の収納庫３１内に落下・収納される。
【００３０】
また、硬貨の払出しは、例えば、収納庫３６内に収納された１円硬貨に於いては、収納庫３６内に設けられた収納ベルト３０ｂによって、収納ベルト３０ｂ付近に位置する払出しベルト３６ｂまで搬送される。また、５０円硬貨に於いては、収納庫３５内に設けられた収納ベルト３０ｂによって、当該収納ベルト３０ｂ付近に位置する払出しベルト３５ｂまで搬送される。また、５円硬貨に於いては、収納庫３４内に設けられた収納ベルト３０ｂによって、当該収納ベルト３０ｂ付近に位置する払出しベルト３４ｂまで搬送される。また、１００円硬貨に於いては、収納庫３３内に設けられた収納ベルト３０ｂによって、当該収納ベルト３０ｂ付近に位置する払出しベルト３３ｂまで搬送される。また、１０円硬貨に於いては、収納庫３２内に設けられた収納ベルト３０ｂによって、当該収納ベルト３０ｂ付近に位置する払出しベルト３２ｂまで搬送される。そして、５００円硬貨に於いては、収納庫３１内に設けられた収納ベルト３０ｂによって、当該収納ベルト３０ｂ付近に位置する払出しベルト３１ｂまで搬送される。
【００３１】
また、硬貨処理機１にあっては、それぞれの払出しベルト３１ｂ〜３６ｂにまで搬送されたそれぞれの硬貨が上記払出し識別部３１ｓ〜３６ｓ付近に位置する繰出しベルト３８ｂ付近にまで搬送され、当該繰出しベルト３８ｂによって、出金搬送部４０にまで搬送される。
【００３２】
更に、出金搬送部４０にまで搬送された硬貨は、出金搬送部４０内に設けられた出金搬送ベルト４０ｂによって、出金トレイ１４側の方向に向い搬送される。そして、当該硬貨は、上記出金先切換えゲート４１の切換えによって、出金トレイ１４側に搬送されるか、或いは一時保留庫１３に搬出される。
【００３３】
また、出金トレイ１４側に搬送された硬貨は、出金トレイ１４に搬出される前に、上記搬送先切換えゲート４２の切換えによって、出金トレイ１４或いは上記硬貨回収ボックス５０に搬出される。
【００３４】
次に、硬貨処理機１を用いた硬貨の受け渡しについて説明する。尚、このような硬貨処理機１は、通常は上位機であるＰＯＳレジに接続されているため、以下の例では、ＰＯＳレジに接続された、硬貨処理機１を用いた硬貨の受け渡しを一例として説明する。また、以下の受け渡しは、ＰＯＳレジでの貨幣の受け渡しである釣銭先払出し方式が適用されている。
【００３５】
（１）例えば、お客の買い上げ品の商品スキャン（登録）が終了すると、ＰＯＳレジは合計額を計算し、その金額をＰＯＳレジの表示部に表示する。そして、通常はＰＯＳレジの担当者がその金額を読み上げ、お客は買い上げ額以上の貨幣を預かり金としてＰＯＳレジの担当者に渡す。
【００３６】
（２）次に、ＰＯＳレジの担当者は、必要に応じて、預かり金額を読み上げると共に、ＰＯＳレジにその金額を打刻する。
（３）次に、ＰＯＳレジは、「釣銭金額」＝「預かり金額（打刻額）−買い上げ額」を計算し、硬貨処理機１に通知する。
【００３７】
（４）硬貨処理機１は、受け取った金額に従い、各硬貨の金種及び枚数を計算し、釣銭を出金する。
（５）ＰＯＳレジの担当者は、紙幣のお釣り、レシート及び上記硬貨処理機１から出金された硬貨をお客に渡す。
【００３８】
（６）お客が納得し、ＰＯＳレジを離れたら、預かり金を硬貨処理機１に入金する。
尚、硬貨の受け渡しに於いては、硬貨処理機１自体に預かり硬貨を計数させ、「釣銭金額」＝「預かり金額（打刻額）−買い上げ額」を算出して釣銭を出金する、所謂、先入金計数方式を採用してもよい。
【００３９】
また、硬貨の回収動作として、指定金種・枚数の回収動作、売上金(余剰金)の回収動作等を実施させる。ここで、指定金種・枚数の回収動作は、ある特定金種が硬貨処理機の収納容量を超えた場合、或いは、両替用に元金が必要な場合等に、金種と枚数を指定して収納庫３１〜３６から出金トレイ１４に回収する方法である。一方、売上金の回収動作は、硬貨処理機の使用開始時の残高からレジ取引を通じて増加した金額を出金トレイ１４に回収するものであり、「売上金額−使用開始時金額(または枚数)」を計算し、回収動作を行う。
【００４０】
更に、本実施の形態に於いては、当該出金トレイ１４に回収する他、上述した如く、一時保留庫１３、硬貨回収ボックス５０へ回収する機能を兼ね備えている。
次に、本実施の形態に係る硬貨処理方法のより具体的な例について説明する。尚、本実施の形態に於いては、それぞれの硬貨がそれぞれの収納庫３１〜３６、或いは硬貨回収ボックス５０に収納可能容量まで収納された状態をフル（ｆｕｌｌ）とも称し、収納される容量を超過した状態をオーバー（ｏｖｅｒ）とも称する。また、硬貨回収ボックス５０内には容量検知用のセンサが備えられ、硬貨回収ボックス５０がフル状態か否かを当該センサによって認識することができる。また、硬貨回収ボックス５０に、搬送した硬貨の枚数をカウントしておき、硬貨回収ボックス５０の収納可能容量に到達したフル状態を認識することもできる。
【００４１】
まず、硬貨処理機１を用いての硬貨回収ボックス５０への硬貨の回収動作について説明する。
図５は本実施の形態に係る硬貨処理方法の一例である。この図では、硬貨回収ボックスへの硬貨回収動作を説明するためのフローが例示されている。
【００４２】
まず、それぞれの収納庫３１〜３６に於いて、硬貨が収納される枚数の容量を超過した金種が発生した場合、上位機、或いは硬貨処理機１の操作表示部からの指示により、硬貨回収ボックス５０への搬送処理が開始される（ステップＳ１）。
【００４３】
次いで、搬送先切換えゲート４２が硬貨回収ボックス５０側へ切換えられる（ステップＳ２）。
次に、図４に例示した各種の硬貨搬送用ベルトの駆動時間のタイマがセットされる（ステップＳ３）。尚、上記タイマのセットは、上位機、或いは硬貨処理機１の操作表示部の指示により各種の硬貨駆動用ベルトの駆動時間が自動的に設定される。
【００４４】
次に、収納庫３１〜３６に隣接する繰出しベルト３８ｂを駆動させる（ステップＳ４）。
更に、収納庫３１〜３６の収納ベルト３０ｂを駆動させる（ステップＳ５）。
【００４５】
次に、フル状態にある何れかの収納庫３１〜３６から硬貨を搬出するために、フル状態にある何れかの収納庫３１〜３６に隣接する払出しベルト３１ｂ〜３６ｂの何れかを駆動させる（ステップＳ６）。これにより、フル状態にある何れかの収納庫３１〜３６内の硬貨が出金搬送部４０に搬送される。
【００４６】
続いて、出金搬送ベルト４０ｂを駆動させて、硬貨回収ボックス５０にフル状態の金種を搬送する（ステップＳ７）。
そして、上述した硬貨搬送用ベルトの駆動時間がタイムアップ状態であるか否かが判断される（ステップＳ８）。
【００４７】
ここで、タイムアップ状態でないならば、硬貨回収ボックス５０がフル状態であるか否かが判断される（ステップＳ９）。
そして、硬貨回収ボックス５０がフル状態でないと判断された場合には、収納庫内がフル状態にある金種が硬貨処理機１内にあるか否かが判断される（ステップＳ１０）。
【００４８】
そして、収納庫内がフル状態にある金種があると判断された場合、再び、ステップＳ８の段階に戻され、収納庫内がフル状態にある金種が硬貨回収ボックス５０に搬送される。
このような方法により、それぞれの収納庫３１〜３６に於いて、硬貨が収納される容量を超過した金種は存在しなくなり、自動的にそれぞれの収納庫３１〜３６に空きスペースが確保される。
【００４９】
尚、各種の硬貨搬送用ベルトの駆動時間がタイムアップ状態であれば、硬貨の搬送処理を異常終了させる（ステップＳ１１）。
更に、本実施の形態に係る硬貨処理方法では、硬貨回収ボックス５０がフル状態であると判断された場合、または、収納庫内がフル状態にある金種が硬貨処理機１内にないと判断された場合には、作動中の収納ベルト３０ｂを停止させる（ステップＳ１２）。続いて、作動中の払出しベルト３１ｂ〜３６ｂを停止させ（ステップＳ１３）、作動中の繰出しベルト３８ｂを停止させ（ステップＳ１４）、作動中の出金搬送ベルト４０ｂを停止させる（ステップＳ１５）。
【００５０】
そして、搬送先切換えゲート４２が出金トレイ（出金口）１４側へ戻される（ステップＳ１６）。
これにより、硬貨の硬貨回収ボックス５０への搬送が正常に終了し（ステップＳ１７）、硬貨回収ボックス５０への硬貨の搬送が自動的に停止される。
【００５１】
尚、硬貨処理機１に於いては、硬貨回収ボックス５０がフル状態であるか否かに関わらず、上位機、或いは硬貨処理機１の操作表示部にて、硬貨の搬送先を硬貨回収ボックス５０に指定した場合も、硬貨を硬貨回収ボックス５０へ搬送可能である。
【００５２】
また、ステップＳ１〜ステップＳ１７のそれぞれの処理は、上位機、或いは硬貨処理機１の操作表示部により一括で管理され、上位機、或いは硬貨処理機１の操作表示部の指示に基づいて自動的に行われている。
【００５３】
図６は本実施の形態に係る硬貨処理方法の別の一例である。尚、図６に於ける硬貨処理では、硬貨の一時保留を行いながらオーバーフロー処理をする例が示されている。
まず、上位機からの入金開始指示、または硬貨処理機１の単独操作での入金可能状態にて、上記硬貨投入部１０に硬貨が投入されると、上位機、或いは硬貨処理機１の操作表示部からの指示により、入金処理が開始される（ステップＳ２０）。上記硬貨投入部１０に投入された硬貨は、上記硬貨投入部１０内に設けられた投入口ベルト１０ｂにより、上記検銭部１１に搬送される。そして、投入された硬貨の金種または枚数が判別され、当該硬貨が一時保留庫１３に搬送・保留される。
【００５４】
続いて、入金終了処理がなされる（ステップＳ２１）。そして、釣銭があると判断された場合は（ステップＳ２２）、当該釣銭の出金処理がなされる（ステップＳ２３）。
次に、出金処理が完了した場合、或いは釣銭がないと判断された場合（ステップＳ２２）に於いて、一時保留庫１３に保留されている硬貨の金種の枚数と、既に当該金種の収納庫に収納されている当該金種の枚数とを合計させた合計枚数が、上位機、或いは硬貨処理機１の単独操作により計数される。
【００５５】
例えば、１円硬貨が投入された場合に於いては、一時保留庫１３に保留されている１円硬貨の枚数と、１円硬貨用の収納庫３６に既に収納されている１円硬貨の枚数とが、上位機、或いは硬貨処理機１の単独操作により加算され、その合計枚数が計数される（ステップＳ２４ａ）。また、５円硬貨、１０円硬貨、５０円硬貨、１００円硬貨、５００円硬貨に於いても、同様に、これらの金種が一時保留庫１３に保留された段階で、前記合計枚数が計数される（ステップＳ２４ｂ〜ステップＳ２４ｆ）。
【００５６】
そして、それぞれの金種の合計枚数（（ａ）〜（ｆ））に基づいて、それぞれの収納庫３１〜３６がフル状態になる金種があるか否かが判断される（ステップＳ２５）。
ここで、何れかの収納庫３１〜３６がフル状態にある金種があると判断された場合、当該金種に於いては、図５に例示するステップＳ１からステップＳ１７までの硬貨回収ボックス５０への搬送処理が施され、当該フル状態にある金種が硬貨回収ボックス５０に搬送される（ステップＳ２６）。
【００５７】
次に、当該金種の硬貨回収ボックス５０への搬送が正常に終了されたか否かが判断され（ステップＳ２７）、正常に終了されたと判断された場合は、硬貨回収ボックス５０がフル状態か否かが判断される（ステップＳ２８）。
【００５８】
そして、硬貨回収ボックス５０がフル状態と判断された場合は、回収再開待ち表示になる（ステップＳ２９）。
次に、、硬貨回収ボックス５０内に収納される硬貨の枚数がクリアされたか否かが判断される（ステップＳ３０）。この場合、硬貨回収ボックス５０内の硬貨枚数のモニタリングは、例えば、硬貨回収ボックス５０内に設けられた上記センサのセンシングによりなされる。または、上述した如く、硬貨回収ボックス５０に、搬送した硬貨の枚数をカウントしておき、硬貨回収ボックス５０の収納可能容量に到達したフル状態を認識することもできる。
【００５９】
そして、硬貨回収ボックス５０内の硬貨が取り除かれて、硬貨回収ボックス５０内に硬貨が収納可能（クリア）であれば、再び、ステップＳ２６の段階に戻される。硬貨回収ボックス５０が収納可能（クリア）でなければ、再度、回収再開待ち表示になる（ステップＳ２９）。
【００６０】
このような方法により、それぞれの収納庫３１〜３６に於いて、硬貨が収納される容量を超過した金種は存在しなくなり、自動的にそれぞれの収納庫３１〜３６に空きスペースが確保される。
【００６１】
尚、ステップＳ２７の段階に於いて、正常に終了されたと判断されない場合は、硬貨の搬送処理を異常終了させる（ステップＳ３１）。
また、ステップＳ２５の段階に於いて、上記合計枚数がフル状態でないと判断された場合、または、ステップＳ２８の段階に於いて、硬貨回収ボックス５０がフル状態でないと判断された場合は、各種の硬貨搬送用ベルトの駆動時間のタイマがセットされる（ステップＳ４０）。
【００６２】
次に、上記キャンセルゲート２０が振分部２１側に切換えられる（ステップＳ４１）。
次に、振分部２１内の振分ベルト２１ｂを駆動させる（ステップＳ４２）。
更に、一時保留庫１３内の一時保留庫ベルト１３ｂを駆動させる（ステップＳ４３）。
【００６３】
そして、それぞれの収納庫３１〜３６内の収納ベルト３０ｂを駆動させて、金種毎にそれぞれの収納庫３１〜３６に硬貨を収納させる（ステップＳ４４）。
ここで、上述した硬貨搬送用ベルトの駆動時間がタイムアップ状態であるか否かが判断される（ステップＳ４５）。
【００６４】
そして、タイムアップ状態でないならば、一時保留庫１３内に媒体、即ち硬貨があるか否かが判断される（ステップＳ４６）。
次に、一時保留庫１３内に硬貨があると判断された場合は、ステップＳ４５の段階に戻される。即ち、一時保留庫１３内に存在する硬貨が収納ベルト３０ｂの駆動により、それぞれの収納庫３１〜３６に収納される。
【００６５】
そして、一時保留庫１３内に硬貨がなくなり、一時保留庫１３が空状態になった場合は、作動中の一時保留庫ベルト１３ｂが停止され（ステップＳ４７）、振分ベルト２１ｂが停止され（ステップＳ４８）、収納ベルト３０ｂが停止される（ステップＳ４９）。
【００６６】
これにより、硬貨の搬送が正常に終了する（ステップＳ５０）。尚、ステップＳ４５の段階に於いて、各種の硬貨搬送用ベルトの駆動時間がタイムアップ状態と判断された場合は、硬貨の搬送処理を異常終了させる（ステップＳ３１）。
【００６７】
また、ステップＳ２０〜ステップＳ５０のそれぞれの処理は、上位機、或いは硬貨処理機１の操作表示部により一括で管理され、上位機、或いは硬貨処理機１の操作表示部の指示に基づいて自動的に行われている。
【００６８】
また、図７は本実施の形態に係る硬貨処理方法の更に別の一例である。尚、図７に於ける硬貨処理では、硬貨の一時保留なしでのオーバーフロー処理をする例が示されている。
まず、上位機からの入金開始指示、または硬貨処理機の単独操作での入金可能状態にて、上記硬貨投入部１０に硬貨が投入されると、上位機、或いは硬貨処理機１の操作表示部からの指示により、入金開始が指示される（ステップＳ６０）。
【００６９】
続いて、入金終了の指示があるか否かが判断され（ステップＳ６１）、入金終了の指示があると、入金が終了される（ステップＳ６２）。
次に、入金終了の指示がない場合には、上記硬貨投入部１０に媒体、即ち、硬貨があるか否かが検知され（ステップＳ６３）、硬貨投入部１０に於いて硬貨が検知されると、予め、各種の硬貨搬送用ベルトの駆動時間のタイマがセットされる（ステップＳ６４）。尚、硬貨投入部１０の段階に於いて硬貨の検知がない場合には、上記ステップＳ６１の段階に戻される。
【００７０】
続いて、硬貨搬送用ベルトの駆動時間のタイマがセットされた後、検銭部１１内の検銭ベルトを駆動させる（ステップＳ６５）。
次に、硬貨投入部１０内の投入口ベルト１０ｂを駆動させる（ステップＳ６６）
次に、振分部２１内の振分ベルト２１ｂを駆動させる（ステップＳ６７）。
【００７１】
更に、一時保留庫１３内の一時保留庫ベルト１３ｂを駆動させる（ステップＳ６８）。
そして、それぞれの収納庫３１〜３６内の収納ベルト３０ｂを駆動させる（ステップＳ６９）。
【００７２】
次に、硬貨が検銭部１１内のセンサを通過したか否かが判断される（ステップＳ７０）。
そして、硬貨が通過したと判断された場合は、当該金種に於ける収納庫内の収納枚数に“１（枚）”が加算される（ステップＳ７１）。
【００７３】
例えば、１円硬貨が投入された場合に於いては、検銭部１１内に１円硬貨が通過した段階で、１円硬貨の収納庫３６内の収納枚数に、１（枚）が加算される。また、５円硬貨、１０円硬貨、５０円硬貨、１００円硬貨、５００円硬貨の何れかが検銭部１１内を通過した場合に於いても、同様に、通過した金種の収納庫内の収納枚数に、１（枚）が加算される。
【００７４】
次に、当該加算された枚数に基づいて、当該金種の収納庫の収納枚数がフル状態にあるか否かが判断される（ステップＳ７２）。
そして、フル状態にない場合は、上述した硬貨搬送用ベルトの駆動時間がタイムアップ状態であるか否かが判断される（ステップＳ７３）。
【００７５】
そして、硬貨搬送用ベルトの駆動時間がタイムアップ状態でない場合は、再度、硬貨投入部１０に媒体、即ち、硬貨があるか否かが検知される（ステップＳ７４）。そして、硬貨が検知された場合は、ステップＳ７０の段階に戻され、上記の枚数に、更に１（枚）が加算される（ステップＳ７１）。
【００７６】
このように、硬貨が検銭部１１に通過した段階で、金種毎の収納庫の収納枚数がフル状態になるか否かが判断される。
尚、ステップＳ７３の段階に於いて、硬貨搬送用ベルトの駆動時間がタイムアップ状態と判断された場合は、硬貨の搬送処理を異常終了させる（ステップＳ７５）。
【００７７】
また、ステップＳ７４の段階に於いて、硬貨投入部１０に硬貨がないと判断された場合は、投入口ベルト１０ｂを停止させ（ステップＳ８０）、検銭ベルトを停止させ（ステップＳ８１）、一時保留庫ベルト１３ｂを停止させる（ステップＳ８２）。更に、振分ベルト２１ｂを停止させて（ステップＳ８３）、それぞれの収納庫３１〜３６内の収納ベルト３０ｂを停止させる（ステップＳ８４）。次いで、ステップＳ６１の段階に戻され、ステップＳ６１からの処理を再度、実行させる。
【００７８】
また、ステップＳ７２の段階に於いて、上記加算された枚数が当該金種の収納庫の収納枚数の容量を超過していると判断された場合は、投入口ベルト１０ｂを停止させ（ステップＳ９０）、検銭ベルトを停止させ（ステップＳ９１）、一時保留庫ベルト１３ｂを停止させる（ステップＳ９２）。更に、振分ベルト２１ｂを停止させて（ステップＳ９３）、それぞれの収納庫３１〜３６内の収納ベルト３０ｂを停止させる（ステップＳ９４）。
【００７９】
そして、図５に例示するステップＳ１からステップＳ１７までの硬貨回収ボックス５０への搬送処理が施され、フル状態にあると判断された金種が硬貨回収ボックス５０に搬送される（ステップＳ９５）。
【００８０】
次に、当該金種の硬貨回収ボックス５０への搬送が正常に終了されたか否かが判断され（ステップＳ９６）、正常に終了されたと判断された場合は、硬貨回収ボックス５０がフル状態か否かが判断される（ステップＳ９７）。尚、硬貨回収ボックス５０がフル状態でない場合は、ステップ６１の段階に戻される。
【００８１】
そして、硬貨回収ボックス５０がフル状態と判断された場合は、回収再開待ち表示になる（ステップＳ９８）。
次に、硬貨回収ボックス５０内の上記センサにより、硬貨回収ボックス５０内に収納される硬貨の枚数がクリアされたか否かが判断される（ステップＳ９９）。
【００８２】
例えば、硬貨回収ボックス５０内の硬貨が取り除かれて、硬貨回収ボックス５０内に硬貨が収納可能（クリア）であれば、ステップＳ９５の段階に戻される。収納可能（クリア）でないなれば、再度、回収再開待ち表示になる（ステップＳ９８）。
【００８３】
このような方法により、それぞれの収納庫３１〜３６に於いて、硬貨が収納される容量を超過した金種は存在しなくなり、自動的にそれぞれの収納庫３１〜３６に空きスペースが確保される。
【００８４】
尚、ステップＳ９６の段階に於いて、正常に終了されたと判断されない場合は、硬貨の搬送処理を異常終了させる（ステップＳ７５）。
このように、硬貨処理機１は、一時保留庫１３に保留している硬貨の金種毎の枚数と、それぞれの金種の収納庫内に収納されている硬貨の枚数とを、金種毎に加算する加算手段と、加算した枚数により、それぞれの金種の当該硬貨の収納庫の収納枚数の容量を超過しているか否かを判断する判断手段と、を備えている。
【００８５】
そして、硬貨が一時保留庫１３に保留されると、一時保留庫１３に保留している硬貨の金種毎の枚数と、それぞれの金種の収納庫内に収納されている硬貨の枚数とが金種毎に加算される。そして、加算した枚数がそれぞれの金種の収納庫の収納枚数の容量を超過する場合に、当該収納庫内に収納されている硬貨が硬貨回収ボックス５０へ搬送され、収納庫内の硬貨を硬貨回収ボックス５０を搬送させた後に、一時保留庫１３に保留されている硬貨を金種毎に収納庫内に搬送・収納させている。
【００８６】
尚、本実施の形態に於いては、収納庫３１〜３６内に収納されている硬貨を、硬貨回収ボックス５０へ搬送するのと同時に、一時保留庫１３に保留されている硬貨を金種毎に収納庫３１〜３６へ搬送・収納してもよい。
【００８７】
また、硬貨処理機１は、硬貨投入部１０に投入され、検銭部１１を通過した硬貨の金種及び枚数とを検知する検知手段と、検知された金種毎の枚数と、それぞれの金種の収納庫内に収納されている硬貨の枚数とを加算する加算手段と、金種毎に加算した枚数により、それぞれの金種の収納庫の収納枚数の容量を超過しているか否かを判断する判断手段と、を備えている。
【００８８】
そして、硬貨が硬貨投入部１０に投入され、検銭部１１を通過すると、硬貨の金種及び枚数が検知され、検知された金種の枚数とそれぞれの金種の収納庫内に収納されている硬貨の枚数とが金種毎に加算される。そして、加算した枚数がそれぞれの金種の収納庫の収納枚数の容量を超過する場合に、収納庫内に収納されている硬貨を、硬貨回収ボックス５０へ搬送する。更に、硬貨を硬貨回収ボックス５０へ搬送させた後に、硬貨投入部１０に投入した硬貨を金種毎に収納庫に搬送・収納させている。
【００８９】
尚、本実施の形態に於いては、収納庫３１〜３６内に収納されている硬貨を、硬貨回収ボックス５０へ搬送するのと同時に、硬貨投入部１０に投入された硬貨を金種毎に収納庫３１〜３６へ搬送・収納させてもよい。
【００９０】
このような硬貨処理機１及び硬貨処理方法によれば、それぞれの収納庫３１〜３６に於いて、硬貨が収納される容量を超過した金種は存在しなくなり、自動的にそれぞれの金種毎にそれぞれの収納庫３１〜３６に空きスペースが確保される。
【００９１】
これにより、硬貨処理機１に於いて、その使用頻度が増加しても、フル状態によって引き起こされる硬貨の入金リジェクトが確実に防止される。また、回収動作は、全て上位機、或いは硬貨処理機１の操作表示部からの指示により実行させている。これにより、回収動作時の硬貨の紛失、硬貨の盗難が抑制され、安全で迅速かつ効率的に硬貨の回収を行うことができる。
【００９２】
また、図６に例示した硬貨処理方法においては、途中まで入金した硬貨を返却する手間、収納庫のフルを解消するために回収指示する手間、再度入金する手間が省けることで、人手を介する処理が減るため、操作ミス削減、処理時間の短縮、という有利な効果を有する。また、図７に例示した硬貨処理方法においても同様の効果を有する。
【００９３】
尚、本実施の形態に於いては、硬貨処理機１と、当該硬貨処理機１を使用した硬貨処理方法について説明したが、硬貨処理機１と紙幣処理機とが一体となった貨幣処理機でも適用可能である。
【図面の簡単な説明】
【００９４】
【図１】本実施の形態の硬貨処理機の概要を説明する要部図である（その１）。
【図２】本実施の形態の硬貨処理機の概要を説明する要部図である（その２）。
【図３】硬貨を回収する作用を説明するための要部断面図である。
【図４】硬貨搬送用ベルトの配置並びに作用を説明するための要部平面図である。
【図５】本実施の形態に係る硬貨処理方法の一例である。
【図６】本実施の形態に係る硬貨処理方法の別の一例である。
【図７】本実施の形態に係る硬貨処理方法の更に別の一例である。
【符号の説明】
【００９５】
１  硬貨処理機
１ａ  本体部
１０  硬貨投入部
１０ｂ  投入口ベルト
１１  検銭部
１２  リジェクトゲート
１３  一時保留庫
１３ｂ  一時保留庫ベルト
１４  出金トレイ
１５  キャンセル口
２０  キャンセルゲート
２１  振分部
２１ｂ  振分ベルト
３０  収納庫部
３０ｂ  収納ベルト
３１，３２，３３，３４，３５，３６  収納庫
３１ｂ，３２ｂ，３３ｂ，３４ｂ，３５ｂ，３６ｂ  払出しベルト
３１ｓ，３２ｓ，３３ｓ，３４ｓ，３５ｓ，３６ｓ  払出し識別部
３８ｂ  繰出しベルト
４０  出金搬送部
４０ｂ  出金搬送ベルト
４０ｈ，５０ｈ  貫通孔
４１  出金切換えゲート
４２  搬送先切換えゲート
５０  硬貨回収ボックス
６０  制御部
６１  タイマ
７０  硬貨
【図１】
0005163225.tif 000002
【図２】
0005163225.tif 000003
【図３】
0005163225.tif 000004
【図４】
0005163225.tif 000005
【図５】
0005163225.tif 000006
【図６】
0005163225.tif 000007
【図７】
0005163225.tif 000008